(57)【特許請求の範囲】
【請求項１】
支持体（５）に固定された物品を固定位置で受けるケースにおいて、該ケースが基部を形成する下部（３）と、カバーを形成する上部（２）とを含み、前記下部（３）及び前記上部（２）が互いに協働して閉鎖位置において閉鎖スペースを定め、前記支持体（５）には、前記物品が前記基部上にも載らず前記カバーにも当接しないようにする保持手段（６）が含まれているケース（１）であって、
前記ケース（１）の閉鎖位置において、前記下部と前記上部との間の結合部にて前記ケースの基部（３）と前記カバー（２）との間に少なくとも２つの間隙（４）が存在し、前記支持体（５）が前記保持手段（６）を介して前記間隙（４）内に置かれる、
ことを特徴とするケース。
【請求項２】
前記保持手段（６）が少なくとも２つの肩部（６）により形成される、ことを特徴とする請求項１に記載のケース。
【請求項３】
前記ケースが透明又は半透明材料で形成される、
ことを特徴とする請求項１または２に記載のケース。
【請求項４】
前記支持体（５）が該支持体の横方向運動を制限するリブ（７）を含む、
ことを特徴とする請求項１から請求項３までの何れかに記載のケース。
【請求項５】
前記支持体（５）のリブ（７）が側縁部（１０）により延長される、
ことを特徴とする請求項４に記載のケース。
【請求項６】
前記支持体（５）の縁部（１０）が、少なくとも１つの浮き彫りパターンを含む、
ことを特徴とする請求項５に記載のケース。
【請求項７】
奥行き効果を実現するために、前記支持体（５）のパターンと協働するように配置された少なくとも１つの浮き彫りパターンを含む、
ことを特徴とする請求項６に記載のケース。
【請求項８】
前記支持体（５）がＣ字形である、
ことを特徴とする請求項１から請求項７までの何れかに記載のケース。
【請求項９】
前記Ｃ字形の支持体（５）の端部が少なくとも部分的に可撓性である、
ことを特徴とする請求項８に記載のケース。
【請求項１０】
前記下部（３）と前記上部（２）とが互いにヒンジ留めされる、
ことを特徴とする請求項１から請求項９までの何れかに記載のケース。
【請求項１１】
前記下部（３）及び前記上部（２）が、前記ケース（１）を閉鎖位置にロックするロック手段（９）を含む、
ことを特徴とする請求項１から請求項１０までの何れかに記載のケース。
【発明の詳細な説明】
【技術分野】
【０００１】
本発明は、支持体に固定された物品を固定位置で受けるケースないし容器に関する。このケースは、基部を形成する下部と、カバーを形成する上部とを含む。下部と上部は互いに協働して、ケースが閉鎖位置にあるときに閉鎖スペースを定める。
【背景技術】
【０００２】
時計のプレゼンテーション・ケースないし容器は従来技術から周知である。これらのケースは、基部及びカバーを備え、一般に支持体を包含する平行六面体ボックスの形態をとる。支持体は、一般にケースの底部に配置され、物品が当該ケース内に配置されたときに物品を固定位置に保持するのに用いられる。
【０００３】
高級市場層の範囲の時計モデルでは、ケースの内側は皮革又はアルカンターラである。この場合、支持体は、ケース及びひいては時計を覆う材料と同じ材料で覆われたクッションの形態をとり、この上に時計が取り付けられる。低価格市場層のモデルに属する時計については、支持体は発泡体又はプラスチック部品の形態をとる。後者の事例において、支持体は、ケースの底部の上に載せられる又は固定されるアーチ形状である。
【０００４】
しかしながら、時計のような物品の支持体上での位置は幾つかの問題を提起する。実際に、時計は、手首に取り付けられているかのように支持体上に配置される。従って、支持体がケース内に配置されると、支持体−時計組立体は一般に、時計のバンド又はブレスレット上に載ることになる。支持体−時計組立体がブレスレット上に押し付けられることにより、このブレスレットが損傷を受ける可能性がある。
【０００５】
更に、支持体は、一般に、ケース内に配置されると自由に動けないような大きさにされる。このことは、一般に、支持体の幅をケースの内側幅と同じサイズにすることにより実現される。これにより、支持体がケース内に閉じ込められ、どのような動きも不可能になり、ケースが受ける可能性があるあらゆる衝撃に対して耐久性があるようにする。その結果として、この配置は、支持体に固定された物品に対し良好な保護をもたらす。
【０００６】
しかしながら、この配置は、ケースが受けるあらゆる衝撃から物品を保護するが、支持体をケースの底部上に位置決めすることにより、時計を保持するのがより困難になる。従って、支持体に固定された物品を把持することによって、支持体をケースに挿入し又はケースから取り出すことが通常であり、このことが物品に損傷を与え又は損なうリスクを伴う。
【発明の概要】
【発明が解決しようとする課題】
【０００７】
本発明の目的は、ケース内に配置しなければならない物品を簡単な方法でケースに挿入し取り出すことができる一方で、依然として衝撃からも保護できるケースを提案することによって、従来技術の前述の欠点を克服することである。
【課題を解決するための手段】
【０００８】
従って、本発明は、物品が底部の上に載らず、カバーにも当接しないように配置された保持手段を支持体が含むことを特徴とする、前述のケースに関する。
【０００９】
従って、このケースの１つの利点は、物品をケース内に配置するのがより容易になることである。実際、物品が固定される支持体は、ケースの底部内には存在しない。これにより、ケースのユーザは、物品を支持体に固定し、該支持体をケース内に置くこと又は支持体をそこから取り出すことを極めて容易にすることができる。
【００１０】
このことはまた、ケースと支持体とを互いに固定し、これによって支持体が衝撃の影響で移動するのを防ぐことができることを意味する。その結果、支持体に固定された物品が外部衝撃から保護される。
【００１１】
このケースの有利な実施形態は、従属する請求項２から請求項１２の主題を形成する。
【００１２】
本発明の特に有利な態様によれば、ケースは透明材料で形成され、物品をケースの外から見ることを可能にする。ケースの透明性はまた、支持体をケースと関連付けて、有利な視覚効果を実現できることを意味する。
【００１３】
本発明によるケースの目的、利点及び特徴は、純粋に非限定的な実施例として与えられ、添付図面により例示される本発明の少なくとも１つの実施形態の以下の詳細な説明を読むとより明らかになるであろう。
【図面の簡単な説明】
【００１４】
【図１】本発明による閉鎖位置にあるケースの概略図である。
【図２】本発明による部分的に開いたケースの概略図である。
【図３】支持体の概略斜視図である。
【図４】支持体の輪郭図である。
【図５】支持体の正面図である。
【発明を実施するための形態】
【００１５】
以下の説明では、時計のプレゼンテーション・ケースを実施例として用いている。しかしながら、このプレゼンテーション・ケースは、ブレスレット、イヤリング、指輪又は他の物品に用いることができるので、この実施例は非限定的な例示として用いられる。
【００１６】
図１及び図２は、本発明によるプレゼンテーション・ケースを示す。このプレゼンテーション・ケースは、ケース又はボックス１の形態をとる。ケース１は、基部を形成する下部３、及びカバーを形成する上部２の２つの部品で形成される。これら２つの部品２、３は互いに協働して、ケースが閉鎖位置にあるときに閉鎖スペースを形成する。図１に示すように、２つの部品２、３は、ケース１は、上部２を下部３に対して後方に倒すことにより開くことができるように、ヒンジによって互いに接続されている。勿論、上部２及び下部３の２つを互いに接続させずに、単に一方を他方の上部に嵌めることも可能である。ケース１の正面図は、該ケースを長手方向軸に沿って見ることを意味し、他方、ケース１の輪郭図は、ケースを横方向軸に沿って見ることを意味する点は明らかであろう。
【００１７】
更に、図１に示すケースは、ケースを閉鎖位置にロックするためのロック手段９を含む。これらのロック手段９は、スナップ嵌め手段又はあらゆる他の公知の手段とすることができる。勿論、これらのロック手段を省いてもよいことは明らかである。
【００１８】
図２に示されるように、支持体５はケース１内に収容される。この支持体５は、プレゼンテーション・ケース内に配置することが望まれる時計を固定するのに用いられる。支持体−時計組立体をケース１内に配置しやすくするために、本発明は、この支持体−時計組立体をケース１の縁部によって支持し、物品がケース１の底部の上に載らず、カバーに接触もしないようにすることを提案している。
【００１９】
第１に、ケース１は、上部２が下部３上に閉鎖されたときに、ケース１の何れかの側部で下部３と上部２との間に間隙４が現れるように作られる。図示の実施例ではこの間隙４は直線的であるが、他の形状も想定できる。間隙は、ケース１の対向する２つの側部に位置するのが好ましい。ケース１はまた、１つの側部当たりに１よりも多い間隙４を含むことができ、この場合、間隙はスリット形状をとる。勿論、間隙は異なる平面内にあることも可能であり、この場合、上部２及び下部３はこれに応じて形成される。
【００２０】
第２に、図３から図５に示す支持体５は、ケース１の縁部１１上に載ることができるように改変される。より具体的には、支持体５は、間隙４の上に載せられるように改変される。このようにするために、支持体は保持手段６を有する。これらの保持手段は肩部の形態をとる。肩部６は、支持体５の側部を越えて突出する。この配置は、肩部６が、間隙４においてケースの縁部１１上に載ることを可能にする。ケース１が閉鎖位置にあると、肩部６は支持体５の動きを制限する。肩部の寸法は、少なくとも間隙４の寸法に等しい。支持体５が間隙４内でできるだけ良好に保持されるように、肩部６は、間隙４と同じ寸法を有することが好ましい。ケース１がスロット４の形態で間隙を有する変形形態では、支持体５は、スロット４の数と等しい数の肩部６を備える。
【００２１】
図１から図５に示される好ましい実施形態においては、ケース１は、２つの間隙４を含み、これらは直線状ではない。実際に、図１から図５で見られるように、上部３は支持体５を保持する付加的な手段を提供するよう配置される。これらの付加的な保持手段は、下部３と上部２との間の結合部にある。従って、支持体５の保持手段は、ケース１の対向する２つの側部上に作られた突出部８から構成され、これは、円弧状の２つの部分が直線部分で互いに接続されて形成された側面形態をとる。これらの突出部８は、肩部６において支持体５と協働する。このようにするために、肩部６は、突出部８に対して相補的な形状に作られ、該肩部６がこの突出部８上に完全に当接することができるようにされる。これにより、支持体５に対する長手方向支持がもたらされる。上部２は、勿論、支持体５が内部に配置されたときに下部３及び上部２が互いに協働してケース１を閉じることができるような窪みが付けられる。このようにするために、上部２は、各対向する側部が下部３の突出部８に対して相補的な形状の窪みを有するように作られる。この場合、これらの窪みの寸法は、間隙４を形成するように適合される。
【００２２】
本実施形態の変形形態において、支持体５には、該支持体５を長手方向及び横方向の両方で支持する横保持手段７が設けられる。このようにするために、支持体５の各側部上で肩部６においてリブ７が配置され、これらのリブ７間の距離Ｌｍは、最大でもケース１の壁間の距離と等しい。従って、支持体５は横方向に移動することができない。
【００２３】
本実施形態の別の変形形態において、図３、図４及び図５に見られるように、リブ７は、支持体５の側縁部１０として機能するように延びる。この場合、これらの側縁部１０はまた、案内手段としても機能する。実際に、側縁部１０は、最大でもケースの内側幅と等しい距離で隔てられる。従って、リブが縁部として機能するように延長された場合、縁部１０が最初にケース１内に挿入されることで、支持体５の案内が容易になり、従って、支持体５は確実に適切に配置される。
【００２４】
下部３及び上部２は透明材料で作ることもできる。この透明性により、ユーザはケース１を開けることなく、ケース１内の製品を見ることが可能になる。この透明な外観は、審美的目的で用いることができる。実際に、この透明な外観の用途の１つは、３次元的ディスプレイである。例えば、この高価を達成するために、支持体５の縁部１０が用いられ、この透明な外観に関連付けられる。このようにするために、ケースの縁部１１と支持体の縁部１０とを同じパターンでエッチングし、支持体がケース１内に位置付けられたときに、パターンが重なり合うようにする。ケース１上の透明なエッチングを支持体５上のエッチングと重ね合わせることにより、ケース１の審美的外観を向上させる奥行き効果がもたらされる。
【００２５】
本発明の１つの変形形態は、支持体５をより実用的にすることに関する。従って、支持体５には、湾曲中心がわずかに平坦なＣ字形形状が与えられる。この形状は、時計のケースを平坦な部分上に配置することができる一方で、端部は、ブレスレットが手首とほとんど同一の湾曲輪郭をとることができるので、時計と共に用いた場合に極めて実用的である。
【００２６】
支持体の別の可能な変形形態によれば、支持体５の端部は可撓性である。この可撓性は、時計が支持体に固定されたときに時計のブレスレットが受ける応力がより小さいことを意味する。
【００２７】
添付の特許請求の範囲により定義される本発明の範囲から逸脱することなく、当業者には明らかな種々の改変及び／又は改良及び／又は組み合わせが、上述の本発明の種々の実施形態に対して可能であることは明らかであろう。
【００２８】
実際に、支持体５は、宝飾品類が置かれるトレイの形状をとることができる点は明らかである。支持体５はまた、時計のケースが台形の頂部に載るように台形状にすることができる。
【符号の説明】
【００２９】
１…ケース、２…上部、３…下部、４…間隙、５…支持体、６…保持手段（肩部）、
８…突出部、９…ロック手段、１０…支持体の縁部、１１…ケースの縁部。
【図１】
0005226874.tif 000002
【図２】
0005226874.tif 000003
【図３】
0005226874.tif 000004
【図４】
0005226874.tif 000005
【図５】
0005226874.tif 000006